(57)【要約】【課題】  確実にかつ安定的に固定可能であるダミー体を提供する。【解決手段】  半割り状のダミー体１は、ダミー体本体２と、ダミー体本体２の下部に一体的に設けてある取付け部３とからなる弾性変形可能なものであり、取付け部３はダミー体本体２の底部に設けてある溝部３１及びこの溝部を介して設けてある台座部３２と、底部外面に溝部３１に面して設けてある第１及び第２の保持突起部３３ａ，３３ｂとを備え、台座部３２は取付け板４Ａのダミー体取付け穴４１Ａに挿入可能であり、台座部の第１の受け部３２ａ及び第２の受け部３２ｂと第１及び第２の保持突起部３３ａ，３３ｂとの間でダミー体取付け穴４１Ａの縁部を挟持可能であり、台座部の第３の受け部３２ｃ，３２ｄの上面がダミー体取付け穴４１Ａの縁部の下面に当接可能である。【選択図】        図１
2006048265.tif 000002
【特許請求の範囲】
【請求項１】
自動販売機の陳列部の取付け板上にこの取付け板に設けられているダミー体取付け穴を介して保持される半割り状のダミー体において、
上記ダミー体は、ダミー体本体と、このダミー体本体の下部に一体的に設けてある取付け部とからなる弾性変形可能のものであり、
上記取付け部は、上記ダミー体本体の底部に設けてある溝部及びこの溝部を介して設けてある台座部と、上記底部外面に上記溝部に面して設けてある第１及び第２の保持突起部とを備えており、
上記溝部は上記ダミー体本体の外周面に沿って設けられており、
上記台座部は第１の受け部、第２の受け部及び対の第３の受け部と、第１の受け部と第２の受け部との間に形成してある第１の切欠部と、第１の受け部と一方の第３の受け部との間に形成してある第２の切欠部と、第２の受け部と他方の第３の受け部との間に形成してある第３の切欠部とを有し、上記第１の受け部と第２の受け部とを上記ダミー体の正面に隣接して配置し、対の上記第３の受け部を上記台座部の背部両側にそれぞれ対向配置してあり、
上記台座部は上記ダミー体取付け穴に挿入可能であって、上記各保持突起部との間で上記取付け板のダミー体取付け穴縁部を保持可能であり、
上記第１の保持突起部に対して第２の切欠部が、第２の保持突起部に対して第３の切欠部がそれぞれ対応しており、
上記第１の保持突起部と第１の受け部との間で、上記第２の保持突起部と第２の受け部との間でそれぞれダミー体取付け穴縁部を挟持可能であり、上記各第３の受け部はダミー体取付け穴縁部下面に当接可能である
ことを特徴とする自動販売機用のダミー体。
【請求項２】
溝部を上下方向に横断してダミー体本体の底部から台座部の第２の切欠部に至る係止部を設けてあることを特徴とする請求項１記載の自動販売機用のダミー体。
【発明の詳細な説明】
【技術分野】
【０００１】
本発明は自動販売機用のダミー体に関するものである。
【背景技術】
【０００２】
自動販売機用のダミー体には缶、ボトルなどの飲料容器の本体を半割りして、自動販売機の陳列部（ディスプレー部）の取付け板（棚部）上にダミー体取付け穴（窓孔）を介して起立状態に固定されるものである。従来の自動販売機用の半割り状のダミー体としては、例えば特開平９−３３０４６０号公報の図９及び図１０に記載のディスプレー体などのように、その本体が半割り状のものが知られている。この従来公報記載のディスプレー体はプラスチックシートなどによって縦割の形状に形成され、本体の下端に小径部を設け、この小径部と本体との間の周方向に溝を設けている。
上記従来公報記載のディスプレー体の取付け方法は、ディスプレー体の本体の小径部を弾性変形させて窓孔に嵌合させることにより、溝が窓孔の周縁部に係合され、ディスプレー体は棚部上に起立固定される。
【特許文献１】特開平９−３３０４６０号公報
【特許文献２】実用新案登録第３０９１９７６号登録実用新案公報
【発明の開示】
【発明が解決しようとする課題】
【０００３】
上述した従来公報記載のディスプレー体は溝を介して棚部上に取り付けるので、取り付け作業が簡単となり、そして棚部（取付け板）の窓孔（ダミー体取付け穴）の形状を問わず本体を取ることができる利点があるものの、取付け手段を溝のみに依存する例では本体に何等かの負荷がかかった場合には前方に倒れ易くなる課題があり、確実にかつ安定的に固定可能とするためには改良の余地がある。
本発明の目的は確実にかつ安定的に固定可能であるダミー体を提供することにある。
【課題を解決するための手段】
【０００４】
本発明の第１の特徴は、自動販売機の陳列部の取付け板上にこの取付け板に設けられているダミー体取付け穴を介して保持される半割り状のダミー体において、上記ダミー体は、ダミー体本体と、このダミー体本体の下部に一体的に設けてある取付け部とからなる弾性変形可能のものであり、上記取付け部は、上記ダミー体本体の底部に設けてある溝部及びこの溝部を介して設けてある台座部と、上記底部外面に上記溝部に面して設けてある第１及び第２の保持突起部とを備えているところにある。上記溝部は上記ダミー体本体の外周面に沿って設けられている。上記台座部は、第１の受け部、第２の受け部及び対の第３の受け部と、第１の受け部と第２の受け部との間に形成してある第１の切欠部と、第１の受け部と一方の第３の受け部との間に形成してある第２の切欠部と、第２の受け部と他方の第３の受け部との間に形成してある第３の切欠部とを有し、上記第１の受け部と第２の受け部とを上記ダミー体の正面に隣接して配置し、対の上記第３の受け部を上記台座部の背部両側にそれぞれ対向配置してある。上記台座部は上記ダミー体取付け穴に挿入可能であって、上記各保持突起部との間で上記取付け板のダミー体取付け穴縁部を保持可能である。上記第１の保持突起部に対して第２の切欠部が、第２の保持突起部に対して第３の切欠部がそれぞれ対応している。上記第１の保持突起部と第１の受け部との間で、上記第２の保持突起部と第２の受け部との間でそれぞれダミー体取付け穴縁部を挟持可能であり、上記各第３の受け部はダミー体取付け穴縁部下面に当接可能である。
本発明の第２の特徴は、上記第１の特徴を前提として、溝部を上下方向に横断してダミー体本体の底部から台座部の第２の切欠部に至る係止部を設けてあり、この係止部はダミー体取付け穴縁部に設けてある切欠凹部に係合可能であることにある。
【発明の効果】
【０００５】
本発明によれば、簡単な構成によってダミー体を取付け板上に確実にかつ安定的に固定することができる。
【発明を実施するための最良の形態】
【０００６】
図１〜図６に示すダミー体１はプラスチックシートによって背部が開放された半割り缶状に形成加工されている。ダミー体１は、ダミー体本体２と、このダミー体本体の下部に一体的に設けてある取付け部３とからなる弾性変形可能なものである。ダミー体１は、図１鎖線に示す自動販売機の陳列部における取付け板４Ａ上にダミー体取付け穴４１Ａを通じて取付け部３によって起立状態に取付けられるものである。
【０００７】
ダミー体本体２は丸缶を半割りした半割り缶状に形成されており、表面には図示していないが商品名などが予め印刷されている。
図１〜図４に示すように、取付け部３は、ダミー体本体２の底部に設けてある溝部３１及びこの溝部を介して設けてある台座部３２と、ダミー体本体の底部外面に溝部に面して突出状態に設けてある第１及び第２の保持突起部３３ａ，３３ｂと、ダミー体本体の底部から台座部に至る係止部３４とを備えている。
【０００８】
図１及び図５に示すように、溝部３１はダミー体本体２の外周面に沿って設けられ、ダミー体本体２の内側（図６右側）をその底部とされ、ダミー体本体の正面側（同図左側）をその開口部とされている。溝部３１の底部両端は開放されている。
図１〜図４に示すように、台座部３２はダミー体１の底部に相当し、その外形がほぼダミー体本体２の外周に沿うほぼ半円形状であって、外周部に第１及び第２の受け部３２ａ，３２ｂと、対の第３の受け部３２ｃ，３２ｄと、第１、第２及び第３の切欠部３２ｅ，３２ｆ，３２ｇをそれぞれ設けてある。第１及び第２の受け部３２ａ，３２ｂはダミー体１の正面に隣接して配置されている。第１及び第２の受け部３２ａ，３２ｂは図１及び図４に示すように、平面半円形状に形成されている。対の第３の受け部３２ｃ，３２ｄは台座部３２の背部（図４下部）の両側に互いに図５左右方向において対向位置されている。
図１、図４及び図５において、第１、第２及び第３の切欠部３２ｅ，３２ｆ，３２ｇは台座部３２の外周部を中心部に向けてかつ周方向に向けて切り欠き形成されているものである。第１の切欠部３２ｅは第１の受け部３２ａと第２の受け部３２ｂとの間に設けられている。第２の切欠部３２ｆは第１の受け部３２ａと一方の第３の受け部３２ｃとの間に、第３の切欠部３２ｇは第２の受け部３２ｂと他方の第３の受け部３２ｄとの間にそれぞれ設けられており、第２の切欠部と第３の切欠部とは互いに図４左右方向に対向配置されている。
図１〜図４において、第１及び第２の保持突起部３３ａ，３３ｂはダミー体本体２の底部の半径方向（図４上下方向）に平面台形状に設けられ、ダミー体１の正面に間隔を置いてそれぞれ配置されている。
図１、図３及び図４において、係止部３４は溝部３１を図１上下方向に横断するように設けられており、ダミー体本体２の底部から台座部３２の第３の切欠部３２ｇに至るものである。
【０００９】
溝部３１と、台座部３２と、第１及び第２の保持突起部３３ａ，３３ｂと、係止部３４との各関係について説明する。
図１及び図４に示すように、第１、第２及び第３の受け部３２ａ，３２ｂ，３２ｃ，３２ｄの上面と第１及び第２の保持突起部３３ａ，３３ｂの下面とはいずれも溝部３１に面している。第１及び第２の保持突起部３３ａ，３３ｂは第１及び第２の受け部３２ａ，３２ｂに対してその外側に位置をずらして配置されている。係止部３４は、図４左側で第２の保持突起部３３ｂと隣接して配置されている。
【００１０】
取付け板４Ａに形成されているダミー体取付け穴４１Ａは、図７ではその形状がほぼ円形状に形成されており、その内周縁の左右両側に内面形状が溝形の対の第１の切欠凹部４１Ａ１を形成してある。またダミー体取付け穴４１Ａの内周縁には対の第１の切欠凹部４１Ａ１から反時計方向に所定の距離を置いて平面三角形の対の第２の切欠凹部４１Ａ２及び対の第３の切欠凹部４１Ａ３をそれぞれ形成してある。
【００１１】
ダミー体１と取付け板４Ａとの関係を説明する。
台座部３２はダミー体取付け穴４１Ａより下方に挿入することができ、ダミー体１の取付け状態にあるときには、図１、図８及び図９に示すように取付け板４Ａの下方に位置する。溝部３１はダミー体取付け穴４１Ａの内周縁に対して係合離脱可能である。
台座部３２と第１及び第２の保持突起部３３ａ，３３ｂとの間で取付け板４Ａのダミー体取付け穴４１Ａの縁部を保持可能である。すなわち、第１及び第２の受け部３２ａ，３２ｂと第１及び第２の保持突起部３３ａ，３３ｂとの間でダミー体取付け穴４１Ａの縁部を挟持可能である。そして対の第３の受け部３２ｃ，３２ｄはダミー体取付け穴４１Ａの縁部下面に当接可能である。
ダミー体１は溝部３１がダミー体取付け穴４１Ａの内周縁に係合している状態で、取付け板４Ａ上に安定的に保持され、この保持状態では第３の受け部３２ｃ，３２ｄが取付け板４Ａの下面に当接されており、ダミー体が例えば背面側から何らかの負荷がかかって、正面側（前側）へ倒れようとしても、第３の受け部で支えられているために、簡単に倒れることがない。
【００１２】
ダミー体１を自動販売機の陳列部の取付け板４Ａ上に取付ける方法について説明する。
まず、使用者は手でダミー体１の下部側であって、その幅方向の両側（左右両側）を挟み、その両側部がダミー体本体の弾性力に抗して互いに接近するように押圧させると、ダミー体１は弾性変形されて細く湾曲した状態になり、このような状態でダミー体の台座部３２を取付け板４Ａのダミー体取付け穴４１Ａに挿入する。
挿入後、ダミー体取付け穴４１Ａの内周縁が溝部３１内に納まった段階でダミー体本体２の下部の押圧を解除すると、ダミー体１全体の形状が弾性力によって元の状態に回復し、溝部３１はダミー体取付け穴４１Ａの内周縁と係合し、図９に示すように台座部３２と第１及び第２の保持突起部３３ａ，３３ｂとではダミー体取付け穴４１Ａの縁部を挟持し、係止部３４は取付け板４Ａの一方の第３の切欠凹部４１Ａ３と係合し、ダミー体１の回転動作が制御される。
この結果、ダミー体１は取付け板４Ａ上に起立状態に保持される。特に、ダミー体１に対して正面側（図２右側）又は背面側からハーフダミー体を倒そうとする何らかの負荷がかかっても、このとき対の第３の受け部３２ｃ，３２ｄが支えとして機能するから、ダミー体１は常に安定した保持状態が得られる。
【００１３】
ダミー体１は前記取付け板４Ａにダミー体取付け穴４１Ａを通じて取り付けられるが、取付け対象となるダミー体取付け穴は図示する上例に限られず、ダミー体を例えば図１０及び図１１に示すダミー体取付け穴４１Ｂを通じて自動販売機における陳列部の取付け板４Ｂに取り付けることができる。
図１０及び図１１に示すダミー体取付け穴４１Ｂの内周縁部には左右両側に平面三角形の第１の切欠凹部４１Ｂ１を、各第１の切欠凹部を中心として反時計方向に対の第２の切欠凹部４１Ｂ２をそれぞれ設けてある。各第２の切欠凹部４１Ｂ２にはダミー体１の取付け部３における係止部３４が係合可能である。
ダミー体１を取付け板４Ｂに取付ける方法は、前述した取付け板４Ａへの取付け方法と同様である。
台座部３２はダミー体取付け穴４１Ｂより下方に挿入することができ、ダミー体１の取付け状態にあるときには、図１０及び図１１に示すように取付け板４Ｂの下方に位置する。
第１及び第２の受け部３２ａ，３２ｂと第１及び第２の保持突起部３３ａ，３３ｂとの間でダミー体取付け穴４１Ｂの縁部を挟持可能である。そして対の第３の受け部３２ｃ，３２ｄはダミー体取付け穴４１Ｂの縁部下面に当接可能である。第３の受け部３２ｃ，３２ｄが取付け板４Ｂの下面に当接されている。係止部３４は一方の第２の切欠凹部４１Ｂ２に係合され、ダミー体１の回転が抑制されている。
【００１４】
図１に示すダミー体１によれば、ダミー体自体が軽量で薄い部材で構成されているものであっても、台座部３２と第１及び第２の保持突起部３３ａ，３３ｂとがダミー体の一次保持手段を構成し、対の第３の受け部３２ｃ，３２ｄが二次保持手段を構成していることにより、倒れにくく、安定した取付け状態を確保することができる。
またダミー体１は取付け板４Ａ，４Ｂのダミー体取付け穴４１Ａ，４１Ｂに挿入するだけで取付けが可能となるから、取付け穴の形状の種類を問うことなく、既存の取付け穴を通じて取付け板上に起立させることができ、使い勝手が良い。
【００１５】
ダミー体１の「半割り状」には「ほぼ半割り状」のものを含み、また全体の形状も半割り丸缶状に限られず、半割りボトル状のものなど適宜である。ダミー体１としてはフィルム状のプラスチックシートにより一体成形されているものであれば、製造が容易となり取扱いがしやすくなる利点があるが、必ずしもプラスチックシートにより形成されるものに限定されない。
【図面の簡単な説明】
【００１６】
【図１】本発明に係るダミー体の正面図である。
【図２】本発明に係るダミー体の右側面図である。
【図３】本発明に係るダミー体の左側面図である。
【図４】本発明に係るダミー体の拡大底面図である。
【図５】図１のＶ−Ｖ線拡大断面図である。
【図６】図１のＶＩ−ＶＩ線断面図である。
【図７】本発明に係るダミー体を取付けるための取付け板の平面図である。
【図８】本発明に係るダミー体を取付け板に取付けている状態を示す正面図である。
【図９】本発明に係るダミー体を取付け板に取付けている状態を示す拡大底面図である。
【図１０】本発明に係るダミー体を取付けるための取付け板の他の例を示す平面図である。
【図１１】本発明に係るダミー体を図１０に示す取付け板に取付けている状態を示す拡大底面図である。
【符号の説明】
【００１７】
１              ダミー体
２              ダミー体本体
３              取付け部
３１            溝部
３２            台座部
３２ａ          第１の受け部
３２ｂ          第２の受け部
３２ｃ          第３の受け部
３２ｅ          第１の切欠部
３２ｆ          第２の切欠部
３２ｇ          第３の切欠部
３３ａ          第１の保持突起部
３３ｂ          第２の保持突起部
３４            係止部
４Ａ，４Ｂ      取付け板
４１Ａ，４１Ｂ  ダミー体取付け穴
【図１】
2006048265.tif 000003
【図２】
2006048265.tif 000004
【図３】
2006048265.tif 000005
【図４】
2006048265.tif 000006
【図５】
2006048265.tif 000007
【図６】
2006048265.tif 000008
【図７】
2006048265.tif 000009
【図８】
2006048265.tif 000010
【図９】
2006048265.tif 000011
【図１０】
2006048265.tif 000012
【図１１】
2006048265.tif 000013